(57)【特許請求の範囲】
【請求項１】
多回路２接点スライドスイッチを備えているとともに第１入力端子と第２入力端子と出力端子とを備えていて、２系統ある高周波信号を選択して受信したり、１つの高周波信号を２系統に振り分けたりすることができるアンテナ切換器であって、
前記多回路２接点スライドスイッチは１つの筐体の中に複数個のスライドスイッチが配置されているとともに、前記複数個のスライドスイッチの内の一方の最端部に配置されたスライドスイッチに前記第１入力端子が接続され、前記複数個のスライドスイッチの内の他方の最端部に配置されたスライドスイッチに前記第２入力端子が接続されていて、
前記多回路２接点スライドスイッチは第１スイッチと第２スイッチと第３スイッチとの１列と、第４スイッチと第５スイッチと第６スイッチとの１列とからなる２列配置になされた６回路２接点スライドスイッチであって、
前記第１入力端子は前記第３スイッチの第２端子に接続されいるとともに、前記第２入力端子は前記第１スイッチの第１端子に接続され、
前記第１スイッチのコモン端子は前記第４スイッチの第１端子に接続され、前記第４スイッチのコモン端子は前記第５スイッチの第１端子に接続され、前記第３スイッチのコモン端子は前記第６スイッチの第２端子に接続され、前記第６スイッチのコモン端子は前記第５スイッチの第２端子に接続され、
前記第５スイッチのコモン端子は出力端子に接続されて、１つの信号系に３つのスイッチが直列に接続配置された構成となされていることを特徴とするアンテナ切換器。
【請求項２】
多回路２接点スライドスイッチを備えているとともに第１入力端子と第２入力端子と出力端子とを備えていて、２系統ある高周波信号を選択して受信したり、１つの高周波信号を２系統に振り分けたりすることができるアンテナ切換器であって、
前記多回路２接点スライドスイッチは１つの筐体の中に複数個のスライドスイッチが配置されているとともに、前記複数個のスライドスイッチの内の一方の最端部に配置されたスライドスイッチに前記第１入力端子が接続され、前記複数個のスライドスイッチの内の他方の最端部に配置されたスライドスイッチに前記第２入力端子が接続されていて、
前記多回路２接点スライドスイッチは第１スイッチと第２スイッチとの１列と、第３スイッチと第４スイッチとの１列とからなる２列配置になされた４回路２接点スライドスイッチであって、
前記第１入力端子は前記第４スイッチの第２端子に接続されいるとともに、前記第２入力端子は前記第１スイッチの第１端子に接続され、
前記第１スイッチのコモン端子は前記第３スイッチの第１端子に接続され、前記第４スイッチのコモン端子は前記第３スイッチの第２端子に接続され、
前記第３スイッチのコモン端子は前記出力端子に接続されて、１つの信号系に２つのスイッチが直列に接続配置された構成となされていることを特徴とするアンテナ切換器。
【請求項３】
前記第１入力端子と出力端子との間に電流通過用の第１スイッチ回路が接続されているとともに、前記第２入力端子と出力端子との間に電流通過用の第２スイッチ回路が接続されており、
前記電流通過用の第１スイッチ回路および第２スイッチ回路の制御信号は前記出力端子もしくは前記第１入力端子あるいは前記第２入力端子のいずれかに印加された電圧を利用して生成され、
高周波信号の切換に同期して制御されるべき前記第１スイッチ回路および第２スイッチ回路に送られて電流通過のオン動作あるいはオフ動作をするようになされていることを特徴とする請求項１または請求項２に記載のアンテナ切換器。
【請求項４】
前記電流通過用の第１スイッチ回路および第２スイッチ回路はＦＥＴで構成された双方向スイッチ回路あるいはリレー回路であることを特徴とする請求項３に記載のアンテナ切換器。
【発明の詳細な説明】
【技術分野】
【０００１】
本発明は、主に２系統あるテレビ信号（高周波信号）を選択して受信したり、１つのテレビ信号を２系統に振り分けたりするときに使用されるアンテナ切換器に関する。
【背景技術】
【０００２】
従来、一般的にはテレビ電波の多方向受信は、図７に示されるようなテレビ電波システムが知られている。ここで、図７に示すテレビ電波システム１００において、違う方角から到来する電波を受信する場合、それぞれの方角にアンテナ１０１，１０２を設置し、混合器１１０で混合される。その後、ブースター１２０で受信信号が増幅され、ブースター１２０の電源部１２１を通過してテレビ受信器（ＴＶ）１３０に接続することでテレビ画像が見られることとなるものである。
【０００３】
しかしながら、異なる方向からの電波を受信し、混合する場合は、必ずＴＶのチャンネルが重複していないことが条件となる。その理由は、お互いのチャンネルが妨害波となって混信して正常な受信ができなくなってしまうためである。このため、このようなＴＶのチャンネルを重複して受信する場合は、図８（ａ）（ｂ）に示すようなアンテナ切換器１４０を使用してアンテナ１０１，１０２を切り換えるようにして、テレビ１３０（ＴＶ）で受信するシステムにせざるを得ないのである。
【０００４】
ここで、図８（ａ）（ｂ）に示すアンテナ切換器１４０は、同軸ケーブルが接続される２つの入力端子１４１，１４２と選択された信号を出力する出力端子１４３があり、内部には信号を切り換えるスイッチ１４４が配置されている。そして、内部のスイッチ１４４の操作をアンテナ切換器１４０から外側に突出して設けられた操作ノブ１４５を操作して、操作ノブ１４５の方向を切り換えることで入力端子１４１，１４２のいずれかを選択するようになされている。この場合、アンテナ切換器１４０は、ケース１４６内に配置された基板１４７から延出して入力端子１４１，１４２および出力端子１４３が形成されているとともに、基板１４７にはスイッチ（スライドスイッチ）１４４が配置されていて、このスイッチ１４４に連結された操作ノブ１４５がケース１４６の外表面に露出して配置されている。
【０００５】
そして、受信する電波が弱い場合、図９（なお、図９は、受信電波が弱い場合のテレビ電波の受信システム１５０を示す図である。）に示すように、それぞれのアンテナ１５１，１５２の直下にブースター１５３，１５４を設置して増幅する必要がある。この場合、１台のブースター用電源１５６をテレビ１５７の近辺に設置し、アンテナ１５１，１５２の直下にそれぞれ配置されたブースター１５３，１５４に同軸ケーブル１５８を介して給電する。この時、アンテナ切換器１５５はアンテナ１５１，１５２の選択および切換をするとともにブースター用電源１５６も切り換えて選択したアンテナ１５１（あるいは１５２）に接続されているブースター１５３（あるいは１５４）を動作させるようになされている。
【０００６】
また、テレビ信号の受信状況などの調査を行うときにおいては、複数の測定器での計測が必要となる。この場合は、図１０に示すように、１つのアンテナ１６１からのＴＶ信号をアンテナ切換器１６２に接続し２つの測定器１６３，１６４に振り分けるように接続することで、受信レベルなどが損失なく計測でき、測定の作業効率も良くなるというメリットがある。このようにアンテナ切換器１６２は、テレビの信号（高周波信号）をロスなく伝送でき、確実な切換を行うだけでなくブースターなどの電源電流も切り換えられる性能を持たなければならないものである。
なお、アイソレーション量を確保できるようにした高周波スイッチは、例えば、特許文献１（特開２００８−３１０９８８号公報）にて提案されている。
【先行技術文献】
【特許文献】
【０００７】
【特許文献１】特開２００８−３１０９８８号公報
【発明の概要】
【発明が解決しようとする課題】
【０００８】
ところで、上述したようなアンテナ切換器に求められる性能は、放送帯域（１０〜２６０２ＭＨｚ）において通過損失を少なくするとともに、切り換えた時に選択されていない入力端子とのアイソレーション量を多くできることである。通常、アンテナ切換器の内部で信号を切換えるには主にスライドスイッチが用いられ、２つの系統を切り換えるのであれば、図１１（ａ）（ｂ）に示すように、１回路２接点タイプのスライドスイッチが使用される。ここで、図１１（ａ）（ｂ）に示すスライドスイッチ１７０の構造は基台１７１に板状の固定端子１７２が設けられ、それを挟むように可動端子１７３を実装する。
【０００９】
この可動端子１７３にはスイッチケース（図示せず）外部から操作するためのノブ１７４が取り付けられ、ノブ１７４を操作して可動端子１７３を中央のコモン端子ｃ１（図１１（ａ）参照）を中心にスライド動作させることによって信号や電流などが切り換えられる仕組みとなっている。通常、基台１７１に設けられた固定端子１７２は切換動作時の移動量を同じにするため、図１１（ｂ）に示すコモン端子１７２ｃを中心に距離がＬとなるように等間隔に同じ形状の端子１７２ａ，１７２ｂ，１７２ｃが配置されているのが一般的である。
【００１０】
ここで、アンテナ切換器１７０における入力端子間のアイソレーション量は、使用する１回路２接点タイプのスライドスイッチの内部に構成される固定端子１７２の間隔ｔによって決まることとなる。ここで、均等に並ぶ固定端子１７２の間隔ｔを０．５ｍｍとした場合（ｔ＝０．５ｍｍ）のアイソレーション特性は図１２に示すような特性になる。この場合、特に１０００ＭＨｚ以上の衛星放送帯域に関しては、入力端子間のアイソレーション量は２０ｄＢ程度しか確保できていないことが分かる。入力端子間のアイソレーションが確保できていないと、選択されていない入力端子に印加されている信号が、例えばアイソレーション量が上記の値、２０ｄＢであったとするならば２０ｄＢ減衰して現在選択されている端子（系統）に混入することになる。
【００１１】
そして、ＴＶ放送の同じチャンネルが存在した場合、混信を起こさないレベルはアナログＴＶ放送では、希望する信号に対して、選択していない入力端子から混入する信号は４５ｄＢ以上低いレベルで、ＤＵ比で４５ｄＢ以上でなくてはならないとされている。例えば、各入力端子に同じチャンネルの信号が同レベルの６０ｄＢμＶの信号が入力されていたとすると、アイソレーション量が２０ｄＢの場合、混入するレベルは６０−２０＝４０ｄＢμＶとなる。選択された系統では４０ｄＢμＶのレベルが混入し、ＤＵ比は２０ｄＢとなり希望するチャンネルに妨害を与えてしまうことになる。
【００１２】
アイソレーション量を確保するためには、図１３に示すように、スイッチ１８０内の固定端子１８２の間隔ｔ２を広くする方法があるが、固定端子１８２の間隔を広げることにより可動端子１８３の構造も大きくなり、またスライドさせるために端子間にガイド１８４を設けなければならなくなる。しかしながら、固定端子１８２の間隔を広げた場合のアイソレーション特性は図１４に示すような特性になり、４０ｄＢ程度のアイソレーションが確保できるようになる。
【００１３】
一方、アンテナ切換器においてブースターの動作電流や衛星アンテナ用の動作電流を通過させる場合、電流容量はブースター動作用としてＤＣ１５Ｖ−２００ｍＡ程度、衛星アンテナ動作用ＤＣ１５Ｖ−２７０ｍＡ程度とすると、総合でＤＣ１５Ｖ−５００ｍＡ程度の容量が必要とされる。通常の小信号用のスイッチであると１００ｍＡ程度の補償しかなく、ＤＣ１５Ｖ、５００ｍＡの補償があったとしても切り換え回数が１００回などと限定されているものがほとんどである。
【００１４】
通常のスイッチの切換補償の回数は１００００回程度の補償であるが、電流を流した状態で補償するとなると可動端子の大きさを大きくしたり厚みを増したり、また固定端子を大きくするなどの電流対策が必要になる。このため、内部に使用するスライドスイッチの構造をかなり特殊な構造とせざるを得ず、金型費などのイニシャル費用も発生してしまうという問題を生じた。また、可動端子なども大きくすると、高周波における浮遊容量が増加して、通過損失も増大するという問題も生じた。
【００１５】
上述したように、アンテナ切換器の内部に用いられるスライドスイッチは、構造においてはアイソレーション量や、電流容量を確保できる構造が必要で、特殊な構造のものにしなければならないという問題を生じることとなる。その結果、設計の自由度もなくなって、アンテナ切換器のコストも高くなってしまうという新たな問題も生じた。
【００１６】
そこで、本発明は上記問題点を解消するためになされたものであって、特殊な構造のスイッチを用いることなくテレビ信号の高周波信号を切り換えることができ、かつ入力端子間のアイソレーションを確保することでテレビ信号の混信も起こさず、さらにブースターや衛星アンテナ用電源電流の通過・切換も可能にしたアンテナ切換器を提供することを目的としてなされたものである。
【課題を解決するための手段】
【００１７】
上記課題を解決するため、本発明は、多回路２接点スライドスイッチを備えているとともに第１入力端子と第２入力端子と出力端子とを備えていて、２系統ある高周波信号を選択して受信したり、１つの高周波信号を２系統に振り分けたりすることができるアンテナ切換器であって、多回路２接点スライドスイッチは１つの筐体の中に複数個のスライドスイッチが配置されているとともに、複数個のスライドスイッチの内の一方の最端部に配置されたスライドスイッチに第１入力端子が接続され、複数個のスライドスイッチの内の他方の最端部に配置されたスライドスイッチに第２入力端子が接続されていて、多回路２接点スライドスイッチは第１スイッチと第２スイッチと第３スイッチとの１列と、第４スイッチと第５スイッチと第６スイッチとの１列とからなる２列配置になされた６回路２接点スライドスイッチであって、第１入力端子は第３スイッチの第２端子に接続されいるとともに、第２入力端子は第１スイッチの第１端子に接続され、第１スイッチのコモン端子は第４スイッチの第１端子に接続され、第４スイッチのコモン端子は第５スイッチの第１端子に接続され、第３スイッチのコモン端子は第６スイッチの第２端子に接続され、第６スイッチのコモン端子は第５スイッチの第２端子に接続され、第５スイッチのコモン端子は出力端子に接続されて、１つの信号系に３つのスイッチが直列に接続配置された構成となされていることを特徴とする。
【００２０】
このように、３個のスイッチが直列に接続されているため、選択されていない固定端子までの距離は従来の構成に比べ３倍の隙間（距離）を確保することが可能となるので、アイソレーションの確保に極めて有効となる。
【００２１】
また、多回路２接点スライドスイッチは第１スイッチと第２スイッチとの１列と、第３スイッチと第４スイッチとの１列とからなる２列配置になされた４回路２接点スライドスイッチであって、第１入力端子は第４スイッチの第２端子に接続されいるとともに、第２入力端子は第１スイッチの第１端子に接続されおり、第１スイッチのコモン端子は第３スイッチの第１端子に接続され、第４スイッチのコモン端子は第３スイッチの第２端子に接続されているとともに、第３スイッチのコモン端子は出力端子に接続されて、１つの信号系に２つのスイッチが直列に接続配置された構成となされている。
【００２２】
このように、２個のスイッチが直列に接続されているため、選択されていない固定端子までの距離は従来の構成に比べ２倍の隙間（距離）を確保することが可能となるので、それほどアイソレーションを必要ではない用途、例えば、１０〜７７０ＭＨｚのＣＡＴＶ帯域の用途であれば、必ずしも６回路２接点のスライドスイッチを用いなくても４回路２接点のスライドスイッチであっても混信を起こさない程度のアイソレーション量を確保することが可能となる。
【００２３】
そして、第１入力端子と出力端子との間に電流通過用の第１スイッチ回路が接続されているとともに、第２入力端子と出力端子との間に電流通過用の第２スイッチ回路が接続されており、電流通過用の第１スイッチ回路および第２スイッチ回路の制御信号は出力端子もしくは第１入力端子あるいは第２入力端子のいずれかに印加された電圧を利用して生成され、高周波信号の切換に同期して制御されるべき第１スイッチ回路および第２スイッチ回路に送られて電流通過のオン動作あるいはオフ動作をするようになされている。
これにより、電流通過に関する機能においては、複数個のスライドスイッチからなるスイッチ内部には電流が流れず、スイッチ本体の電流容量は無関係になる。そして、スイッチ回路は主にＦＥＴ等の半導体を用いて構成することが一般的であるので、この半導体の電流容量を必要に応じて選択すれば、スライドスイッチ自体の電流容量よりもはるかに大きい電流をスイッチングさせることもできるようになる。この場合、制御電圧が印加されたスイッチ回路（第１スイッチ回路あるいは第２スイッチ回路）をＯＮ（ショート）状態にして入力端子から出力端子に電流を通過させることができ、選択されていない端子に接続されたスイッチ回路（第１スイッチ回路あるいは第２スイッチ回路）は制御電圧が印加されずにＯＦＦ（オープン）状態となる。これにより、例えば、第１入力端子側が選択されたと同時に第１入力端子と出力端子間に配置された第１スイッチ回路がＯＮ状態になり、第１入力端子−出力端子間の電流通過が可能となる。これと同時に、選択されていない第２入力端子側は第２スイッチ回路がＯＦＦ状態になり第２入力端子に印加されている電圧は出力端子に通過されることはない。
ところで、アンテナ切換器の使用方法として２つの入力端子にそれぞれ電圧が印加されて、切換動作によりそれぞれの入力端子に印加された電圧を出力端子へ通過させる場合と、出力端子に電圧が印加されて、切換動作により２つの入力端子のどちらかに電流を通過させる場合とがある。本発明においては、これらのどちらの使用方法であっても、スイッチ回路（第１スイッチ回路あるいは第２スイッチ回路）の制御信号を生成できる構成になっている。このため、スイッチ回路にＦＥＴなどで構成された双方向スイッチ回路やリレーを用いることで、入力端子から出力端子、出力端子から入力端子への電流通過を可能にでき、アンテナ切換器の方向性のない機能を実現することが可能となる。さらに、各入力端子と出力端子のどの端子にも電圧が印加されていないときは、当然、スライドスイッチの位置に関係なく、どの制御端子にも電圧が印加されず、お互いのスイッチ回路はＯＦＦの状態を維持し、高周波信号の通過・切換機能だけが働く構造となる。
なお、電流通過用の第１スイッチ回路および第２スイッチ回路はＦＥＴで構成された双方向スイッチ回路あるいはリレー回路であるのが望ましい。
【発明の効果】
【００２４】
本発明においては、特殊な構造のスライドスイッチを用いることなく高周波信号の切換えが可能になるとともに、端子間のアイソレーション量も混信を防止できるだけの量を確保できるようになる。また、スライドスイッチのスペックにも制限されることなく、必要な電流の通過・切換が可能になる。これにより、安価な汎用のスライドスイッチを用いて、混信の恐れもなく、高周波信号の切換えが可能なアンテナ切換器を提供することが可能となる。
【図面の簡単な説明】
【００２５】
【図１】本発明の実施例１のアンテナ切換器の回路構成を示す回路図ある。
【図２】図１に示される回路構成における６回路２接点スイッチの固定端子間の距離を示す図である。
【図３】図１に示される回路構成におけるスイッチ回路の具体例を示す図であり、図３（ａ）はＦＥＴを用いたスイッチ回路の具体例を示す図であり、図３（ｂ）はリレーを用いたスイッチ回路の具体例を示す図である。
【図４】本発明の実施例１の６回路２接点スイッチを用いて構成されたアンテナ切換器のアイソレーション特性を示す特性図である。
【図５】本発明の実施例２のアンテナ切換器の回路構成を示す回路図ある。
【図６】図５に示される回路構成における４回路２接点スイッチの固定端子間の距離を示す図である。
【図７】一般的な多方向のテレビ電波の受信システムを示す図である。
【図８】従来例のアンテナ切換器を示す図であり、図８（ａ）はアンテナ切換器の概略を模式的に示す概念図であり、図８（ｂ）は、図８（ａ）の内部構成例を示す概念図である。
【図９】ＴＶチャンネルが重複していて、受信電波が弱い場合のテレビ電波の受信システムを示す図である。
【図１０】テレビ電波の受信状況を計測する際に用いられるアンテナ切換器の使用例を示す図である。
【図１１】一般的な１回路２接点スイッチを分解して模式的に示す構造図である。
【図１２】図１１に示す構造のスイッチのアイソレーション特性を示す特性図である。
【図１３】特殊な１回路２接点スイッチの構造を模式的に示す図であ
【図１４】図１３に示す構造のスイッチのアイソレーション特性を示す特性図である。
【発明を実施するための形態】
【００２６】
ついで、本発明のアンテナ切換器の一実施の形態を図１〜図６に基づいて以下に説明するが、本発明は以下の実施の形態に何ら限定されるものではなく、その要旨を変更しない範囲において適宜変更して実施することが可能である。
【００２７】
１．実施例１（６回路２接点のスライドスイッチを使用したアンテナ切換器）
本実施例１のアンテナ切換器１０は、図１に示すように、その内部のスライドスイッチに汎用（市販されている）の６回路２接点のスライドスイッチ１１を用いている。この６回路２接点のスライドスイッチ１１は１つの動作で６個のスイッチが同期して動くようになされているものである。ここで、６回路２接点のスライドスイッチ１１は、第１スイッチＳＷ１と第２スイッチＳＷ２と第３スイッチＳＷ３との１列と、第４スイッチＳＷ４と第５スイッチＳＷ５と第６スイッチＳＷ６との１列とからなる２列配置になされている。
【００２８】
この場合、各スイッチＳＷ１（ＳＷ２，ＳＷ３，ＳＷ４，ＳＷ５，ＳＷ６）は、それぞれコモン端子ＳＷ１−Ｃ１（ＳＷ２−Ｃ２，ＳＷ３−Ｃ３，ＳＷ４−Ｃ４，ＳＷ５−Ｃ５，ＳＷ６−Ｃ６）と、右側端子（第１端子）ＳＷ１−１（ＳＷ２−３，ＳＷ３−５，ＳＷ４−７，ＳＷ５−９，ＳＷ６−１１）と、左側端子（第２端子）ＳＷ１−２（ＳＷ２−４，ＳＷ３−６，ＳＷ４−８，ＳＷ５−１０，ＳＷ６−１２）とから構成されている。
【００２９】
そして、このアンテナ切換器１０には、第１のブースタ１５３を介して第１のアンテナ１５１（図１１参照）に接続される第１入力端子１１ａと、第２のブースタ１５４を介して第２のアンテナ１５２（図１１参照）に接続される第２入力端子１１ｂとが設けられている。そして、これらの２つの入力端子１１ａ，１１ｂからの入力信号は、それぞれの信号ラインおよびコンデンサ１２ａ，１２ｂを介してスライドスイッチ１１の第３スイッチＳＷ３の左側端子（第２端子）ＳＷ３−６と第１スイッチＳＷ１の右側端子（第１端子）ＳＷ１−１に接続されている。
【００３０】
また、スライドスイッチ１１の第１スイッチのコモン端子ＳＷ１−Ｃ１と第４スイッチＳＷ４の右側端子（第１端子）ＳＷ４−７とが接続され、第４スイッチＳＷ４のコモン端子ＳＷ４−Ｃ４と第５スイッチＳＷ５の右側端子（第１端子）ＳＷ５−９とが接続されている。また、スライドスイッチ１１の第３スイッチＳＷ３のコモン端子ＳＷ３−Ｃ３と第６スイッチＳＷ６の左側端子（第２端子）ＳＷ６−１２とが接続され、第６スイッチＳＷ６のコモン端子ＳＷ６−Ｃ６と第５スイッチＳＷ５の左側端子（第２端子）ＳＷ５−１０とが接続されている。そして、第５スイッチＳＷ５のコモン端子ＳＷ５−Ｃ５よりコンデンサ１２ｃを介して出力端子１１ｃへと接続されている。これにより、１つの信号系に３つのスイッチが直列に接続された配置構成となる。
【００３１】
そして、第２スイッチＳＷ２のコモン端子ＳＷ２−Ｃ２には、第１入力端子１１ａがチョークコイル１３ａと逆流防止用のダイオード１４ａを介して接続され、第２入力端子１１ｂもチョークコイル１３ｂと逆流防止用のダイオード１４ｂを介して接続され、さらに出力端子１１ｃがチョークコイル１３ｃと逆流防止用のダイオード１４ｃを介して接続されている。
【００３２】
さらに、第１入力端子１１ａと出力端子１１ｃとの間にスイッチング動作を行う第１スイッチ回路１５が設けられているとともに、第２入力端子１１ｂと出力端子１１ｃとの間にもスイッチング動作を行う第２スイッチ回路１６が設けられている。そして、第２スイッチＳＷ２の左側端子（第２端子）ＳＷ２−４は第１入力端子１１ａと出力端子１１ｃとの間に配置された第１スイッチ回路１５の制御端子に接続されている。また、第２スイッチＳＷ２の右側端子（第１端子）ＳＷ２−３は第２入力端子１１ｂと出力端子１１ｃとの間に配置された第２スイッチ回路１６の制御端子に接続されている。
【００３３】
これにより、スイッチ内部の固定端子の距離においても一般的な従来の１回路２接点の回路では、選択されていない固定端子までの距離ｔは、図１３（ｂ）に示すように、０．５ｍｍ（ｔ＝０．５ｍｍ）しかなくアイソレーションが確保できていないこととなる。ところが、上述のような６回路２接点のスライドスイッチ１１を用いることにより、図２に示すように、３個のスイッチが直列に接続されているため、選択されていない固定端子までの距離ｔは従来の構成に比べ３倍（ｔ＝０．５ｍｍ×３）の隙間（この場合は１．５ｍｍとなる）を確保できるようになる。これにより、アイソレーション特性は図４に示すような特性になり、４０ｄＢ程度のアイソレーションが確保できるようになる。
【００３４】
ここで、第１入力端子１１ａと出力端子１１ｃとの間に第１スイッチ回路１５を配置し、第２入力端子１１ｂと出力端子１１ｃとの間に第２スイッチ回路１６を配置するようにしている。このため、電流通過に関する機能としては、６回路２接点のスライドスイッチ１１の内部には電流が流れることはなく、スライドスイッチ１１の電流容量は無関係になる。この場合、第１スイッチ回路１５および第２スイッチ回路１６は主にＦＥＴ等の半導体を用いて構成できる。このため、ＦＥＴ等の半導体の電流容量を必要に応じて選択すれば、スライドスイッチ１１自体の電流容量よりもはるかに大容量の電流をスイッチングさせることもできるようになる。この場合、スイッチ回路には上述した図３（ａ）に示すようなＦＥＴなどで構成された双方向スイッチ回路に限らず、図３（ｂ）に示すようなリレーを用いて構成するようにしてもよい。
【００３５】
そして、これらの第１スイッチ回路１５および第２スイッチ回路１６を動作させる制御信号は各入力端子１１ａ，１１ｂと出力端子１１ｃからチョークコイル１３ａ，１３ｂ，１３ｃと逆流防止用のダイオード１４ａ，１４ｂ，１４ｃを介して接続している第２スイッチＳＷ２にて生成される。これにより、第２スイッチＳＷ２の左側端子（第２端子）ＳＷ２−４（あるいは右側端子（第１端子）ＳＷ２−３）の選択に応じて、第１スイッチ回路１５（あるいは第２スイッチ回路１６）の制御端子へ電圧が印加されるようになる。制御電圧が印加された第１スイッチ回路１５（あるいは第２スイッチ回路１６）はスイッチ回路をＯＮ（ショート）状態にして第１入力端子１１ａから出力端子１１ｃ（あるいは第２入力端子１１ｂから出力端子１１ｃ）に電流を通過させることができる。
【００３６】
また、その時、第２スイッチＳＷ２において選択されていない右側端子（第１端子）ＳＷ２−３（あるいは左側端子（第２端子）ＳＷ２−４）に接続された第２スイッチ回路１６（あるいは第１スイッチ回路１５）は電圧が印加されることなく、スイッチ回路はＯＦＦ（オープン）状態となっている。これにより、例えば、第１入力端子１１ａ側が選択されたと同時に、第１入力端子１１ａと出力端子１１ｃ間に配置された第１スイッチ回路１５がＯＮ状態になり、第１入力端子１１ａ−出力端子１１ｃ間の電流通過が可能となる。同時に、選択されていない第２入力端子１１ｂ側は第２スイッチ回路１６がＯＦＦ状態になり第２入力端子１１ｂに印加されている電圧は出力端子１１ｃに通過されないこととなる。
【００３７】
ところで、上述した本実施例１においては、制御信号を生成する第２スイッチＳＷ２のコモン端子ＳＷ２−Ｃ２に各入力端子１１ａ，１１ｂと出力端子１１ｃからチョークコイル１３ａ，１３ｂ，１３ｃと逆流防止用のダイオード１４ａ，１４ｂ，１４ｃを介して接続されている。これは２つの入力端子１１ａ，１１ｂと出力端子１１ｃのいずれかにスイッチングされるべき電圧が印加されればその電圧を制御信号として利用するためである。ここで、アンテナ切換器の使用方法として２つの入力端子にそれぞれ電圧が印加されて切換動作によりそれぞれの入力端子に印加された電圧を出力端子へ通過させる場合とまた、出力端子に電圧が印加されて切換動作により２つの入力端子のどちらかに電流を通過させる場合がある。
【００３８】
ところが、本実施例１のアンテナ切換器１０であればこのどちらの使用方法であっても各スイッチ回路１５，１６の制御信号を生成できる構成になっており、各スイッチ回路１５，１６にはＦＥＴなどで構成された双方向スイッチ回路やリレーを用いることで、入力端子１１ａ（１１ｂ）から出力端子１１ｃ、出力端子１１ｃから入力端子１１ａ（１１ｂ）への電流通過を可能にできる。これにより、アンテナ切換器１０の方向性のない機能を実現することが可能となる。また、各入力端子１１ａ（１１ｂ）と出力端子１１ｃのどの端子にも電圧が印加されていないときは当然、第２スイッチＳＷ２のスイッチの位置に関係なく、各スイッチ回路１５，１６の制御端子にも電圧が印加されないこととなり、互いのスイッチ回路１５，１６はＯＦＦの状態を維持し、高周波信号の通過・切換機能だけが働く構造となる。
【００３９】
以上に詳述したように、本実施例１のアンテナ切換器１０においては、コスト高になる特殊な構造のスイッチを用いることなく高周波信号の切換えが可能で、さらに端子間のアイソレーション量は混信を防止できるだけの量を確保できるようになる。また、６回路２接点のスライドスイッチ１１のスペックに制限されることなく、必要な電流の通過・切り換えが可能なアンテナ切換器を構築することが可能となる。
【００４０】
なお、上述した本実施例１のアンテナ切換器１０においては、１０〜２６０２ＭＨｚまで４０ｄＢ程度のアイソレーション量を確保するために６回路２接点スライドスイッチを使用し、選択していない端子との距離を２回路２接点の０．５ｍｍに対して３倍確保しているものである。ところが、使用するシステムに応じて伝送する周波数帯域を、例えば、ＣＡＴＶ帯域（１０〜７７０ＭＨｚ）とすれば必ずしも６回路２接点のスライドスイッチを用いなくても４回路２接点のスライドスイッチであっても混信を起こさない程度のアイソレーション量を確保できるのである。そこで、以下において、４回路２接点のスライドスイッチを用いた実施例２のアンテナ切換器について説明する。
【００４１】
２．実施例２（４回路２接点スライドスイッチを使用したアンテナ切換器）
本実施例２のアンテナ切換器２０は、図５に示すように、その内部のスライドスイッチに汎用（市販されている）の４回路２接点のスライドスイッチ２１を用いている。この４回路２接点のスライドスイッチ２１は１つの動作で４個のスイッチが同期して動くようになされているものである。ここで、４回路２接点のスライドスイッチ２１は、第１スイッチＳＷ１と第２スイッチＳＷ２との１列と、第３スイッチＳＷ３と第４スイッチＳＷ４との１列とからなる２列配置になされている。
【００４２】
この場合、各スイッチＳＷ１（ＳＷ２，ＳＷ３，ＳＷ４）は、それぞれコモン端子ＳＷ１−Ｃ１（ＳＷ２−Ｃ２，ＳＷ３−Ｃ３，ＳＷ４−Ｃ４）と、右側端子（第１端子）ＳＷ１−１（ＳＷ２−３，ＳＷ３−５，ＳＷ４−７）と、左側端子（第２端子）ＳＷ１−２（ＳＷ２−４，ＳＷ３−６，ＳＷ４−８）とから構成されている。そして、このアンテナ切換器２０には、第１のブースタ１５３を介して第１のアンテナ１５１（図１１参照）に接続される第１入力端子２１ａと、第２のブースタ１５４を介して第２のアンテナ１５２（図１１参照）に接続される第２入力端子２１ｂとが設けられている。そして、これらの２つの入力端子２１ａ，２１ｂからの入力信号は、それぞれの信号ラインおよびコンデンサ２２ａ，２２ｂを介してスライドスイッチ２１の第４スイッチＳＷ４の左側端子（第２端子）ＳＷ４−８と第１スイッチＳＷ１の右側端子（第１端子）ＳＷ１−１に接続されている。
【００４３】
また、スライドスイッチ２１の第１スイッチのコモン端子ＳＷ１−Ｃ１と第３スイッチＳＷ３の右側端子（第１端子）ＳＷ３−５とが接続され、第４スイッチＳＷ４のコモン端子ＳＷ４−Ｃ４と第３スイッチＳＷ３の左側端子（第２端子）ＳＷ３−６とが接続されている。そして、第３スイッチＳＷ３のコモン端子ＳＷ３−Ｃ３よりコンデンサ２２ｃを介して出力端子２１ｃへと接続されている。これにより、１つの信号系に２つのスイッチが直列に接続された配置構成となる。
【００４４】
そして、第２スイッチＳＷ２のコモン端子ＳＷ２−Ｃ２には、第１入力端子２１ａがチョークコイル２３ａと逆流防止用のダイオード２４ａを介して接続され、第２入力端子２１ｂもチョークコイル２３ｂと逆流防止用のダイオード２４ｂを介して接続され、さらに出力端子２１ｃがチョークコイル２３ｃと逆流防止用のダイオード２４ｃを介して接続されている。
【００４５】
さらに、第１入力端子２１ａと出力端子２１ｃとの間にスイッチング動作を行う第１スイッチ回路２５が設けられているとともに、第２入力端子２１ｂと出力端子２１ｃとの間にもスイッチング動作を行う第２スイッチ回路２６が設けられている。そして、第２スイッチＳＷ２の左側端子（第２端子）ＳＷ２−４は第１入力端子２１ａと出力端子２１ｃとの間に配置された第１スイッチ回路２５の制御端子に接続されている。また、第２スイッチＳＷ２の右側端子（第１端子）ＳＷ２−３は第２入力端子２１ｂと出力端子２１ｃとの間に配置された第２スイッチ回路２６の制御端子に接続されている。
【００４６】
これにより、スイッチ内部の固定端子の距離においても一般的な従来の１回路２接点の回路では、選択されていない固定端子までの距離ｔは、図１３（ｂ）に示すように、０．５ｍｍ（ｔ＝０．５ｍｍ）しかなくアイソレーションが確保できていないこととなる。ところが、上述のような４回路２接点のスライドスイッチ２１を用いることにより、図６に示すように、２個のスイッチが直列に接続されているため、選択されていない固定端子までの距離ｔは従来の構成に比べ２倍（ｔ＝０．５ｍｍ×２）の隙間（この場合は１．０ｍｍとなる）を確保できるようになり、アイソレーションを確保することが可能となる。
【００４７】
ここで、第１入力端子２１ａと出力端子２１ｃとの間に第１スイッチ回路２５を配置し、第２入力端子２１ｂと出力端子２１ｃとの間に第２スイッチ回路２６を配置するようにしている。このため、電流通過に関する機能としては、４回路２接点のスライドスイッチ２１の内部には電流が流れることはなく、スライドスイッチ２１の電流容量は無関係になる。この場合、第１スイッチ回路２５および第２スイッチ回路２６は主にＦＥＴ等の半導体を用いて構成できる。このため、ＦＥＴ等の半導体の電流容量を必要に応じて選択すれば、スライドスイッチ２１自体の電流容量よりもはるかに大容量の電流をスイッチングさせることもできるようになる。この場合、スイッチ回路には上述した図３（ａ）に示すようなＦＥＴなどで構成された双方向スイッチ回路に限らず、上述した図３（ｂ）に示すようなリレーを用いて構成するようにしてもよい。
【００４８】
そして、これらの第１スイッチ回路２５および第２スイッチ回路２６を動作させる制御信号は各入力端子２１ａ，２１ｂと出力端子２１ｃからチョークコイル２３ａ，２３ｂ，２３ｃと逆流防止用のダイオード２４ａ，２４ｂ，２４ｃを介して接続している第２スイッチＳＷ２にて生成される。これにより、第２スイッチＳＷ２の左側端子（第２端子）ＳＷ２−４（あるいは右側端子（第１端子）ＳＷ２−３）の選択に応じて、第１スイッチ回路２５（あるいは第２スイッチ回路２６）の制御端子へ電圧が印加されるようになる。制御電圧が印加された第１スイッチ回路２５（あるいは第２スイッチ回路２６）はスイッチ回路をＯＮ（ショート）状態にして第１入力端子２１ａから出力端子２１ｃ（あるいは第２入力端子２１ｂから出力端子２１ｃ）に電流を通過させることができる。
【００４９】
また、その時、第２スイッチＳＷ２において選択されていない右側端子（第１端子）ＳＷ２−３（あるいは左側端子（第２端子）ＳＷ２−４）に接続された第２スイッチ回路２６（あるいは第１スイッチ回路２５）は電圧が印加されることなく、スイッチ回路はＯＦＦ（オープン）状態となっている。これにより、例えば、第１入力端子２１ａ側が選択されたと同時に、第１入力端子２１ａと出力端子２１ｃ間に配置された第１スイッチ回路２５がＯＮ状態になり、第１入力端子２１ａ−出力端子２１ｃ間の電流通過が可能となる。同時に、選択されていない第２入力端子２１ｂ側は第２スイッチ回路２６がＯＦＦ状態になり第２入力端子２１ｂに印加されている電圧は出力端子２１ｃに通過されないこととなる。
【００５０】
ところで、上述した本実施例２においては、制御信号を生成する第２スイッチＳＷ２のコモン端子ＳＷ２−Ｃ２に各入力端子２１ａ，２１ｂと出力端子２１ｃからチョークコイル２３ａ，２３ｂ，２３ｃと逆流防止用のダイオード２４ａ，２４ｂ，２４ｃを介して接続されている。これは２つの入力端子２１ａ，２１ｂと出力端子２１ｃのいずれかにスイッチングされるべき電圧が印加されればその電圧を制御信号として利用するためである。ここで、アンテナ切換器の使用方法として２つの入力端子にそれぞれ電圧が印加されて切換動作によりそれぞれの入力端子に印加された電圧を出力端子へ通過させる場合とまた、出力端子に電圧が印加されて切換動作により２つの入力端子のどちらかに電流を通過させる場合がある。
【００５１】
ところが、本実施例２のアンテナ切換器２０であればこのどちらの使用方法であっても各スイッチ回路２５，２６の制御信号を生成できる構成になっており、各スイッチ回路２５，２６にはＦＥＴなどで構成された双方向スイッチ回路やリレーを用いることで、入力端子２１ａ（２１ｂ）から出力端子２１ｃ、出力端子２１ｃから入力端子２１ａ（２１ｂ）への電流通過を可能にできる。これにより、アンテナ切換器２０の方向性のない機能を実現することが可能となる。また、各入力端子２１ａ（２１ｂ）と出力端子２１ｃのどの端子にも電圧が印加されていないときは当然、第２スイッチＳＷ２のスイッチの位置に関係なく、各スイッチ回路２５，２６の制御端子にも電圧が印加されないこととなり、互いのスイッチ回路２５，２６はＯＦＦの状態を維持し、高周波信号の通過・切換機能だけが働く構造となる。
【００５２】
以上に詳述したように、本実施例２のアンテナ切換器２０においては、コスト高になる特殊な構造のスイッチを用いることなく高周波信号の切換えが可能で、さらに端子間のアイソレーション量は混信を防止できるだけの量を確保できるようになる。また、４回路２接点のスライドスイッチ２１のスペックに制限されることなく、必要な電流の通過・切り換えが可能なアンテナ切換器を構築することが可能となる。
【産業上の利用可能性】
【００５３】
なお、上述した実施の形態においては、多回路２接点スライドスイッチとして６回路２接点スライドスイッチあるいは４回路２接点スライドスイッチを用いる例について説明したが、多回路２接点スライドスイッチとしてはこれらには限られず、市販されていれば、５回路２接点スライドスイッチや７回路２接点スライドスイッチなどを用いてもよい。
【符号の説明】
【００５４】
１０…実施例１のアンテナ切換器、１１…スライドスイッチ、１１ａ…第１入力端子、１１ｂ…第２入力端子、１１ｃ…出力端子、１２ａ，１２ｂ，１２ｃ…コンデンサ、１３ａ，１３ｂ，１３ｃ…チョークコイル、１４ａ，１４ｂ，１４ｃ…ダイオード、１５…第１スイッチ回路、１６…第２スイッチ回路、２０…実施例２のアンテナ切換器、２１…スライドスイッチ、２１ａ…第１入力端子、２１ｂ…第２入力端子、２１ｃ…出力端子、２２ａ，２２ｂ，２２ｃ…コンデンサ、２３ａ，２３ｂ，２３ｃ…チョークコイル、２４ａ，２４ｂ，２４ｃ…ダイオード、２５…第１スイッチ回路、２６…第２スイッチ回路
【図１】
0005710390.tif 000002
【図２】
0005710390.tif 000003
【図３】
0005710390.tif 000004
【図４】
0005710390.tif 000005
【図５】
0005710390.tif 000006
【図６】
0005710390.tif 000007
【図７】
0005710390.tif 000008
【図８】
0005710390.tif 000009
【図９】
0005710390.tif 000010
【図１０】
0005710390.tif 000011
【図１１】
0005710390.tif 000012
【図１２】
0005710390.tif 000013
【図１３】
0005710390.tif 000014
【図１４】
0005710390.tif 000015